(57)【特許請求の範囲】
【請求項１】
取付枠に保持される最大３個分の埋込型スイッチの操作部に対応した一つの開口を有して前記埋込型スイッチの前面側に配置され前記取付枠に固定されるプレートと；
前記開口に対応した前記プレートの背面に密着して配置される弾性及び透光性を有し、３個分の前記埋込型スイッチの操作部間の区切りを示す区切り凹部が形成されている防雨カバーと；
前記取付枠に保持された埋込型スイッチ対応位置に形成された開口部とその埋込型スイッチ数と前記最大３個分との差の分だけ埋込型スイッチの操作部と同等高さに形成されたダミー凸部とを有して前記防雨カバーを前記プレートの背面に押えるスイッチ個数対応の押え板と；
前記プレートの背面側外周面と造営材面との間に介在されて弾性を有する周縁パッキンと；
よりなることを特徴とする防水プレート。
【請求項２】
埋込型スイッチを保持して取付けボックスに取付けられる取付枠と；
取付枠に保持される最大３個分の埋込型スイッチの操作部に対応した一つの開口を有して前記埋込型スイッチの前面側に配置され前記取付枠に固定されるプレートと；
前記開口に対応した前記プレートの背面に密着して配置される弾性及び透光性を有し、３個分の前記埋込型スイッチの操作部間の区切りを示す区切り凹部が形成されている防雨カバーと；
前記取付枠に保持された埋込型スイッチ対応位置に形成された開口部とその埋込型スイッチ数と前記最大３個分との差の分だけ埋込型スイッチの操作部と同等高さに形成されたダミー凸部とを有して前記防雨カバーを前記プレートの背面に押えるスイッチ個数対応の押え板と；
よりなることを特徴とする防水プレート。
【請求項３】
埋込型スイッチと；
このスイッチを保持して取付けボックスに取付けられる取付枠と；
この取付枠に保持される最大３個分のスイッチの操作部に対応した一つの開口を有して前記スイッチの前面側に配置され前記取付枠に固定されるプレートと；前記開口に対応した前記プレートの背面に密着して配置される弾性及び透光性を有し、３個分の前記埋込型スイッチの操作部間の区切りを示す区切り凹部が形成されている防雨カバーと；
前記取付枠に保持されたスイッチ対応位置に形成された開口部とそのスイッチ数と前記最大３個分との差の分だけスイッチの操作部と同等高さに形成されたダミー凸部とを有して前記防雨カバーを前記プレートの背面に押えるスイッチ個数対応の押え板と；
前記プレートの背面側外周面と造営材面との間に介在されて弾性を有する周縁パッキンと；
よりなることを特徴とする防水スイッチ。
【発明の詳細な説明】
【０００１】
【産業上の利用分野】
本発明は、外壁面等の造営材面に取付けられる埋込型スイッチ等の埋込型配線器具に適した防水プレート及び防水スイッチに関する。
【０００２】
【従来の技術】
一般のスイッチ類を外壁面等の屋外に設置する場合、安全面等を考慮して防水性を確保する必要がある。防水性を確保するための構成として、当初は、蓋付きプレートを用いていたが、スイッチ操作時にはその都度蓋を開けなくてならない等の不都合がある。また、完全防水型のスイッチもあるが、防水専用設計のものであり、一般ないしは既存のスイッチには適用できない不都合がある。
【０００３】
このようなことから、従来にあっては、図３に示すような防水プレートないしは防水スイッチが提案されている。これは、例えば特開昭６３−１６１８０６号公報に示されているものである。まず、埋込型配線器具である埋込型スイッチ１は例えば３個取付け可能な取付枠２に取付け保持され、この取付枠２が取付穴２ａ部分にて外壁面等に埋設された取付ボックス（図示せず）にねじ止め固定される。このようなスイッチ１の前面であって取付枠２にねじ３により取付けられる樹脂製のプレート４は周縁部のみがリブ状で全体的には平板状に形成されたもので、その中央にはスイッチ１のハンドル１ａを外方へ突出させ得る四角形状の開口４ａが形成されている。また、このプレート４の上下両端にはねじ３により取付枠２に取付け固定するためのねじ穴４ｂが形成されている。５はこのねじ穴４ｂ内に挿入されて防水性を高めるためのねじ穴パッキンである。
【０００４】
さらに、このプレート４背面に密着配置される透明で弾性材樹脂からなる防雨カバー６が設けられている。この防雨カバー６は開口４ａから前面側に突出するように盛り上がったハンドル１ａ対応の操作部６ａとその周囲のフランジ部６ｂとにより形成されており、操作部６ａ内の空所にスイッチ１、特にその操作部１ａが入り込むことになる。この防雨カバー６の背面側にはこの防雨カバー６をプレート４背面に押えて固定するための押え板７が設けられている。この押え板７は前記スイッチ１が通り抜けるように中央に開口部７ａが形成された枠状のものである。即ち、防雨カバー６の操作部６ａをプレート４の背面から開口４ａに挿通し、防雨カバー６のフランジ部６ｂをプレート４の背面に一体に周設したリブ（図示せず）内に嵌め込んでプレート４の背面に配置する。そして、防雨カバー６のフランジ部６ｂの背面より押え板７を熱着する。プレート４と押え板７との固定は、ねじやハトメ等で行ってもよいが、ここでは、他の部品が不要で防水効果の高い超音波熱着で行うようにしている。これにより、プレート４の開口４ａ部分の防水性が確保される。
【０００５】
さらに、プレート４の背面側外周面と外壁面等の造営材面との間に配置される枠状に形成された周縁パッキン８が設けられている。この周縁パッキン８は弾性を有する樹脂製とされ、造営材面との密着性を高めることにより防水性が確保されている。８ａはプレート４の背面側外周面のリブ４ｃを挿入させて防水性能を高めるための溝である。
【０００６】
このような構成により、防雨カバー６は弾性を有するのでその操作部６ａを押圧することにより外部からハンドル１ａをオン・オフ操作し得るものとなる。この際、スイッチ１がオン・オフ等に関する表示機能を有するものであっても防雨カバー６が透明であるので支障なくその表示を視認し得るものとなる。
【０００７】
このようにして、防水プレートはプレート４と防雨カバー６と周縁パッキン８、或いは、取付枠２を含めて構成され、さらにスイッチ１を含めて防水スイッチが構成されている。
【０００８】
ここに、図３に示した例はスイッチ１が１個用のものであり、取付枠２に２個のスイッチ１が取付けられている場合であれば、図４（ａ）に示すようにこれらの２個のスイッチ１に対応させて２個の開口９ａが形成された２個用専用のプレート９と（９ｂはねじ穴である）、防雨カバー６と押え板７とを各々２個ずつ用いて構成するものとなる。また、取付枠２に３個（最大個数）のスイッチ１が取付けられている場合であれば、図４（ｂ）に示すように３個分のスイッチ１の大きさに相当する１つの開口１０ａが形成された３個用専用のプレート１０と（１０ｂはねじ穴である）、この開口１０ａの大きさに対応させた大きさの操作部１１ａ及びフランジ部１１ｂが形成された防雨カバー１１と、開口１０ａに相当する３個分の開口部１２ａが形成されて防雨カバー１１の背面を押える押え板１２とを用いて構成するものとなる。なお、周縁パッキン８は全て共通である。
【０００９】
よって、これらの図３及び図４に示すような構成の場合、基本的には、スイッチ１の個数に応じて各々異種個別の部品を用意しておかなくてならず、部品管理面、製作コスト面等において不利である。
【００１０】
この点、同公報によれば、スイッチ１が１個ないし３個の何れの場合でも構成部品を共用化し得る構成が示されている。図５はその構成例を示すもので、基本的には搭載可能なスイッチの最大個数である３個を想定して、図４（ｂ）に示すような構成をベースとするものである。即ち、全体の大きさはプレート１０、防雨カバー１１、押え板１３及び周縁パッキン８の全てが、スイッチ１を３個配設できる構成とされており、図４（ｂ）との対比では、特に押え板１３が工夫されている。即ち、この押え板１３には開口部１２ａのような開口部を形成せず、一枚板として形成するとともに、この押え板１３に各スイッチ１の大きさに合わせて目の字状にミシン目１４を形成し、任意のミシン目１４部分で分割して開口を形成できるようにしたものである。
【００１１】
よって、スイッチ１が１個の場合であれば、図６（ａ）に示すように押え板１３の中央部のミシン目１４部分を切取り分割することにより開口部１３ａを形成することで対処し、スイッチ１が２個の場合であれば、同図（ｂ）に示すように押え板１３の中央部を残すようにその両側のミシン目１４部分を切取り分割することにより開口部１３ｂ，１３ｃを形成することで対処し、スイッチ１が３個の場合であれば、同図（ｃ）に示すように押え板１３のミシン目１４周囲全体を切取り分割することにより３個分の大きな１つの開口部１３ｄを形成することで対処し得るようにしたものである。このように、スイッチ１の個数に合わせてミシン目１４を切取ることで、１品種のプレートで現場施工できることになる。
【００１２】
【発明が解決しようとする課題】
ところが、図５に示すような従来の共用構成の場合、スイッチ１の個数が１個或いは２個の場合、図６（ａ）（ｂ）に示すように、スイッチのない空箇所が透明ないしは透光性を有する防雨カバー１１を通して外から見えるので、外観を損ない体裁が悪く違和感を与えてしまうものである。また、例えば、スイッチ１の個数が２個の場合（図６（ｂ）に示す構成）、防雨カバー１１の中央部を押すと大きく変形し得ることから両側配置のスイッチ１をオン・オフ動作させてしまうことがあり、誤操作を生じ得るものである。さらには、１枚の押え板１３に関してそのミシン目１４で切取る構成とされているが、あまり簡単に切取れるようでは使用に際してスイッチ１等を押した時に脱落してしまう可能があるので、現実には、据付工事の際、現場でうまく切取れるか疑問のあるものである。
【００１３】
【課題を解決するための手段】
請求項１記載の防水プレートは、取付枠に保持される最大３個分の埋込型スイッチの操作部に対応した一つの開口を有して前記埋込型スイッチの前面側に配置され前記取付枠に固定されるプレートと、前記開口に対応した前記プレートの背面に密着して配置される弾性及び透光性を有し、３個分の前記埋込型スイッチの操作部間の区切りを示す区切り凹部が形成されている防雨カバーと、前記取付枠に保持された埋込型スイッチ対応位置に形成された開口部とその埋込型スイッチ数と前記最大３個分との差の分だけ埋込型スイッチの操作部と同等高さに形成されたダミー凸部とを有して前記防雨カバーを前記プレートの背面に押えるスイッチ個数対応の押え板と、前記プレートの背面側外周面と造営材面との間に介在されて弾性を有する周縁パッキンとにより構成したものである。
【００１４】
請求項２記載の防水プレートは、請求項１記載の防水プレートに、埋込型配線器具を保持して取付けボックスに取付けられる取付枠を含めたものである。
【００１５】
請求項３記載の防水スイッチは、請求項２記載の防水プレートと、埋込型スイッチとにより構成したものである。
【００１６】
【作用】
本発明の防水プレート或いは防水スイッチにあっては、埋込型配線器具数に関係なく、プレート、防雨カバー及び周縁パッキンを共用する構造とした上で、押え板のみを埋込型配線器具の個数に対応した形状とし、埋込型配線器具対応位置に形成された開口部とその埋込型配線器具数と最大個数との差の分だけ埋込型配線器具と同等高さに形成されたダミー凸部とを有するものとしているので、埋込型配線器具数に応じて何れの押え板を用いて構成した場合でも、常に最大個数分と等価的な外観構成となり体裁がよい上に、誤操作の可能性もなくなり、かつ、押え板の選択だけで済むものとなる。
【００１７】
【実施例】
本発明の一実施例を図１及び図２に基づいて説明する。本実施例では、取付け可能なスイッチ１の最大個数が３個の場合を示すもので、この防水プレート１５は、基本的には、図５に示したような共用型をベースとしている。まず、最大個数分なる３個分の大きさの１つの開口１０ａが形成されたプレート１０が設けられている。１０ｂはねじ穴、１０ｃは背面側外周面に形成されて周縁パッキン８の溝８ａに挿入されるリブである。また、防雨カバー１１に相当する防雨カバー１６が設けれている。即ち、この防雨カバー１６は透光性及び弾性を有する樹脂製のもので、防雨カバー１１と同様に前記開口１０ａ内に入り込んで前面に突出する盛上り形状の操作部１６ａとその周囲のフランジ部１６ｂとにより形成されているが、操作部１６ａには３個分のスイッチ１の区切りを示す区切り凹部１６ｃが形成されている。この結果、操作部１６ａが個々のスイッチ対応で形成された態様となっている。この他、周縁パッキン８、スイッチ１及びその取付枠２は従来のものと同様でよい。
【００１８】
しかして、本実施例では、防雨カバー１６をプレート１０の背面に密着する状態に押えるための押え板１７〜１９が３種類設けられている。これらの押え板１７〜１９は外形的には３個を想定した同じ大きさに形成されたものであるが、押え板１７は１個のスイッチ１用、押え板１８は２個のスイッチ１用、押え板１９は３個のスイッチ１用として、選択自在に設けられたものである。まず、押え板１７にあっては１個のスイッチ１の取付位置（中央）に対応させた１個の開口部１７ａが形成されているとともに、スイッチ１の存在しない両側２箇所（最大個数３とスイッチ１の個数１との差の分）にスイッチ１と同じ程度の高さでダミースイッチ部（ダミー凸部）１７ｂが形成されている。押え板１８にあっては２個のスイッチ１の取付位置（中央部を挾む両側２箇所）に対応させた２個の開口部１８ａが形成されているとともに、スイッチ１の存在しない中央１箇所（最大個数３とスイッチ１の個数２との差の分）にスイッチ１と同じ程度の高さでダミースイッチ部（ダミー凸部）１８ｂが形成されている。押え板１９にあっては３個のスイッチ１の取付位置（中央部、及びその両側を含む３箇所）に対応させた大きなサイズの１個の開口部１９ａが形成されている。なお、この押え板１９は、スイッチ１の存在しない箇所がない（最大個数３とスイッチ１の個数３との差の分＝０）ので、ダミースイッチ部（ダミー凸部）は形成されていない。
【００１９】
このような構成により、本実施例の防水プレート１５は、スイッチ１が１個であれば、プレート１０と防雨カバー１６と押え板１７と周縁パッキン８とにより構成され、或いは、取付枠２を含めて構成され、さらに、取付枠２を含めた防水プレート１５に１個のスイッチ１を含めることにより防水スイッチが構成される（図２（ａ）参照）。また、本実施例の防水プレート１５は、スイッチ１が２個であれば、プレート１０と防雨カバー１６と押え板１８と周縁パッキン８とにより構成され、或いは、取付枠２を含めて構成され、さらに、取付枠２を含めた防水プレート１５に２個のスイッチ１を含めることにより防水スイッチが構成される（図２（ｂ）参照）。さらに、本実施例の防水プレート１５は、スイッチ１が３個であれば、プレート１０と防雨カバー１６と押え板１９と周縁パッキン８とにより構成され、或いは、取付枠２を含めて構成され、さらに、取付枠２を含めた防水プレート１５に３個のスイッチ１を含めることにより防水スイッチが構成される（図２（ｃ）参照）。即ち、プレート１０、防雨カバー１６及び周縁パッキン８は共通であり、押え板１７〜１９のみを選択することにより構成される。
【００２０】
なお、これらの押え板１７〜１９による防雨カバー１６の固定方法は前述した従来方式でよい。例えば、１個用の場合で説明すれば、防雨カバー１６の操作部１６ａをプレート１０の背面から開口１０ａに挿通し、防雨カバー１６のフランジ部１６ｂをプレート１０の背面に一体に周設したリブ１０ｄ内に嵌め込んでプレート１０の背面に配置する。そして、防雨カバー１６のフランジ部１６ｂの背面より押え板１７を熱着すればよい。即ち、ねじやハトメ等で固定するようにしてもよいが、ここでは、他の部品が不要で防水効果の高い超音波熱着で行うようにしたものである。２個用、３個用でも同じである。これにより、プレート１０の開口１０ａ部分の防水性が確保される。
【００２１】
このような本実施例構成によれば、スイッチ１の個数が１個或いは２個の場合であっても、図２（ａ）（ｂ）に示すように、スイッチのない空箇所内には、スイッチ相当の高さに形成されたダミースイッチ部１７ｂ又は１８ｂを有するので、透明ないしは透光性を有する防雨カバー１６を通して外から見た場合、無意味な空間が見えないので外観を損なわずスイッチ３個相当のものとなって体裁のよいものとなる。また、例えば、スイッチ１の個数が２個の場合（図２（ｂ）に示す構成）、防雨カバー１６の操作部１６ａの中央部を押すようなことがあっても対応する位置にスイッチ相当の高さのダミースイッチ部１８ｂが防雨カバー１６に接近する状態で存在して、両側の本来のスイッチ１には押圧力が作用しないので、誤操作を生ずることもない。ここに、特にプレート１０とダミースイッチ部１７ｂ，１８ｂ（押え板１７，１８自身）とを防雨カバー１６を通して見た時に同色或いは同系色となり、スイッチ１とは異系色となるように形成しておけば、一見して、スイッチ１を識別でき、ダミースイッチ部１７ｂ，１８ｂが存在していても確実にスイッチ操作を行うことができ、体裁も向上する。また、防雨カバー１６の操作部１６ａに関しても、各スイッチ対応位置が区切り凹部１６ｃで明確に区別されているので、スイッチ操作の確実性とスイッチ１の操作性とが増すものともなる。
【００２２】
なお、本実施例では、プレート１０を取付枠２にねじ３により固定するようにしたが、ねじ止め固定に限らず、例えば、係合爪等による係合手段を用いた固定方式であってもよく、特に限定されるものではない。
【００２３】
【発明の効果】
請求項１記載の発明の防水プレートは、取付枠に保持される最大３個分の埋込型スイッチの操作部に対応した一つの開口を有して前記埋込型スイッチの前面側に配置され前記取付枠に固定されるプレートと、前記開口に対応した前記プレートの背面に密着して配置される弾性及び透光性を有し、３個分の前記埋込型スイッチの操作部間の区切りを示す区切り凹部が形成されている防雨カバーと、前記取付枠に保持された埋込型スイッチ対応位置に形成された開口部とその埋込型スイッチと前記最大３個分との差の分だけ埋込型スイッチの操作部と同等高さに形成されたダミー凸部とを有して前記防雨カバーを前記プレートの背面に押えるスイッチ個数対応の押え板と、前記プレートの背面側外周面と造営材面との間に介在されて弾性を有する周縁パッキンとにより構成し、請求項２記載の発明の防水プレートは、請求項１記載の発明の防水プレートに、埋込型スイッチを保持して取付けボックスに取付けられる取付枠を含めて構成し、請求項３記載の発明の防水スイッチは、請求項２記載の発明の防水プレートと、埋込型スイッチとにより構成することで、埋込型スイッチに関係なく、プレート、防雨カバー及び周縁パッキンを共用する構造とした上で、押え板のみを埋込型スイッチの個数に対応した形状とし、埋込型スイッチ対応位置に形成された開口部とその埋込型スイッチ数と最大３個分との差の分だけ埋込型スイッチと同等高さに形成されたダミー凸部とを有するものとしたので、埋込型スイッチ数に応じて何れの押え板を用いて構成した場合でも、常に最大個数分と等価的な外観構成となり体裁がよい上に、誤操作の可能性もなくし、かつ、押え板の選択だけで済ませることができる。
【図面の簡単な説明】
【図１】本発明の一実施例を示す分解斜視図である。
【図２】１個ないし３個のスイッチ用の各々の実装状態を示す断面図である。
【図３】従来例を示す分解斜視図である。
【図４】その２個用及び３個用の構成例を示す分解斜視図である。
【図５】従来例の共用化構成を示す分解斜視図である。
【図６】その１個ないし３個のスイッチ用の各々の実装状態を示す断面図である。
【符号の説明】
１            埋込型スイッチ、埋込型配線器具
１ａ          操作部
２            取付枠
８            周縁パッキン
１０          プレート
１０ａ        開口
１６          防雨カバー
１７          押え板
１７ａ        開口部
１７ｂ        ダミー凸部
１８          押え板
１８ａ        開口部
１８ｂ        ダミー凸部
１９          押え板
１９ａ        開口部
【図１】
0003714976.tif 000002
【図２】
0003714976.tif 000003
【図３】
0003714976.tif 000004
【図４】
0003714976.tif 000005
【図５】
0003714976.tif 000006
【図６】
0003714976.tif 000007